(57)【要約】【課題】撮像素子に対して複数のレンズを簡単に、しかも安定且つ高精度に位置決めすることができ、レンズ数の制限がなく、鏡枠を不要とした小型の構造とする。【解決手段】撮像素子２と、複数のレンズ６，７，８が心出しされた状態で接合されて撮像素子２に固定される接合レンズ３と、接合レンズ３の一部が接触することにより撮像素子２に対する接合レンズ３の位置調整を行い、接合レンズ３と共に撮像素子２に固定されるガイド手段４とを備える。【選択図】　図１
2004087718.tif 000002
【特許請求の範囲】
【請求項１】
撮像素子と、
複数のレンズが心出しされた状態で接合されており、前記撮像素子に固定される接合レンズと、
接合レンズの一部が接触することにより撮像素子に対する接合レンズの位置調整を行い、接合レンズと共に撮像素子に固定されるガイド手段と、を備えていることを特徴とする撮像モジュール。
【請求項２】
前記ガイド手段は、光軸方向、光軸と直交すると共に相互に直交する２軸方向、光軸と直交する平面内での回転方向、光軸と平行で且つ相互に直交する２平面内でのチルト方向の６方向の内、少なくとも一つの方向に対する位置調整が可能であることを特徴とする請求項１記載の撮像モジュール。
【請求項３】
前記ガイド手段は、接合レンズの外面の一部が接触することにより前記位置調整が可能となっていることを特徴とする請求項１又は２記載の撮像モジュール。
【請求項４】
前記ガイド手段は、撮像素子又は接合レンズのいずれか一方に突出するように設けられた複数のガイドピンと、他方に設けられ、複数のガイドピンが挿入されるガイド穴とを備えていることを特徴とする請求項１又は２記載の撮像モジュール。
【請求項５】
前記ガイド手段は、撮像素子及び接合レンズのそれぞれの対向面に設けられて相互に嵌合する凹凸部であることを特徴とする請求項１又は２記載の撮像モジュール。
【請求項６】
前記接合レンズの少なくとも撮像素子と対向した面が多角形となっており、ガイド手段は前記多角形を形成する辺と接触する傾斜面又は湾曲面からなるガイド面を有していることを特徴とする請求項１〜３のいずれかに記載の撮像モジュール。
【請求項７】
前記ガイド手段は、接合レンズ又は撮像素子の何れか一方から他方に向かって一体的に延びており、接合レンズ又は撮像素子の他方の外端面が接触する少なくとも一対の脚部であることを特徴とする請求項１〜３のいずれかに記載の撮像モジュール。
【請求項８】
前記接合レンズは、複数のレンズの間にスペーサが挿入されることによりレンズ間に空気層が設けられていることを特徴とする請求項１〜７のいずれかに記載の撮像モジュール。
【請求項９】
前記ガイド手段は、撮像素子及び接合レンズにおける光学有効領域に挿入される部分を有し、当該挿入部分が赤外線カットフィルター機能を備えていることを特徴とする請求項１〜８のいずれかに記載の撮像モジュール。
【請求項１０】
前記ガイド手段は、撮像素子及び接合レンズにおける光学有効領域に挿入される部分を有し、当該挿入部分が撮像素子のカバーガラスとなっていることを特徴とする請求項１〜８のいずれかに記載の撮像モジュール。
【請求項１１】
前記接合レンズの外周が多角形となっており、外周の一辺から接合レンズの光軸までの距離と撮像素子または撮像素子に固定される固定物の一辺から撮像素子の有効画素領域中心軸までの距離、及び他の一辺から接合レンズの光軸までの距離と撮像素子または撮像素子に固定される固定物の一辺から撮像素子の有効画素領域中心軸までの距離がそれぞれ等しいことを特徴とする請求項１〜１０のいずれかに記載の撮像モジュール。
【請求項１２】
前記スペーサは、複数のレンズを接合するための接着剤充填溝を外面に有していることを特徴とする請求項８記載の撮像モジュール。
【請求項１３】
前記スペーサは、接合レンズの光学有効領域に入り込んでいることを特徴とする請求項８記載の撮像モジュール。
【請求項１４】
前記接合レンズは、外形が多角形の複数のレンズからなり、多角形の一辺と各レンズの光軸との距離及び他の一辺と各レンズの光軸との距離が等しくなるように調整された後、相互に接合されていることを特徴とする請求項１〜１３のいずれかに記載の撮像モジュール。
【発明の詳細な説明】
【０００１】
【発明の属する技術分野】
本発明は、撮像素子と撮像素子に結像させるレンズとを組み付けることによりカメラの小型化を可能とした撮像モジュールに関する。
【０００２】
【従来の技術】
一般に、ＣＣＤやＣＭＯＳ等の固体撮像素子に対して単玉レンズを配置したカメラ構造では、球面収差等が発生するため、光学性能の向上を図ることが難しい。このため、固体撮像素子に対して複数のレンズを組み合わせた構造のカメラが開発されているが、複数のレンズを用いる場合には、光軸合わせ等のためのレンズ相互の位置決めや固体撮像素子に対する組レンズの位置決めを高精度に行う必要がある。
【０００３】
このような位置決めを行うため、特許第２６３０９６５号公報や特許第３２４２０９９号公報には、鏡枠を用いて固定撮像素子と複数のレンズとを組み付ける構造が記載されている。この構造では、固体撮像素子を実装した配線基板に鏡枠を取り付けるものであり、鏡枠は筒状となっており、固体撮像素子を収納した状態で配線基板の前方に延びている。複数のレンズは、鏡枠内面に嵌合するリブが周辺部分に形成されており、それぞれのリブを突き合わせるようにしてレンズを鏡枠内に挿入することにより、相互の位置決めがなされた積層状態で鏡枠内に収納される。又、固体撮像素子が配線基板上に実装されることにより、配線基板に取り付けられた鏡枠を介して固体撮像素子と複数のレンズとの位置決めが相対的に行われる。
【０００４】
しかしながら、このような鏡枠を用いた構造では、小型化に限界がある。このため、特開平１０−３３５６２０号公報には、鏡枠を省いて小型化を可能とした構造のカメラが記載されている。このカメラは、固体撮像素子が実装される配線基板に凹み状の基準面を形成し、この基準面によって複数のレンズの位置決めを行うものであり、基準面は、配線基板における固体撮像素子の周囲に形成される。一方、各レンズには、Ｌ字形の取付脚部が外方に延びており、この取付脚部を基準面に接触させて接着することにより、各レンズと撮像素子との位置決めを行うようになっている。
【０００５】
【発明が解決しようとする課題】
しかしながら、特許第２６３０９６５号公報及び特許第３２４２０９９号公報の構造では、複数のレンズが鏡枠内に組み合わされた状態となっているだけであり、振動等の外力が作用することにより、レンズが位置ずれし易く、集光や結像等の光学性能が不安定となる問題を有している。
【０００６】
一方、特開平１０−３３５６２０号公報の構造では、取付脚部を基準面に接着することにより、複数のレンズを個々に位置決めしながら取り付ける必要があり、その取り付けが面倒となっている。又、基準面を固体撮像素子の周囲に設けることから配線基板に対する基準面の形成数が限定され、これにより基準面を介して取り付けられるレンズの数が制限される問題を有している。
【０００７】
さらに、特許第２６３０９６５号公報及び特許第３２４２０９９号公報の構造では、鏡枠を介して複数のレンズの位置決め及びレンズと固体撮像素子との位置決めを間接的に行い、特開平１０−３３５６２０号公報の構造では、配線基板を介してレンズと固体撮像素子との位置決めを間接的に行うものであり、いずれの構造においても、位置決めのための中間物が必要となっている。このため、高精度の位置決めが難しい問題も有している。
【０００８】
本発明は、このような従来の問題点を考慮してなされたものであり、撮像素子に対して複数のレンズを簡単に、しかも安定且つ高精度に位置決めすることができ、レンズ数の制限もなく、さらには鏡枠を不要とした小型の構造の撮像モジュールを提供することを目的とする。
【０００９】
【課題を解決するための手段】
上記目的を達成するため、請求項１の発明の撮像モジュールは、撮像素子と、複数のレンズが心出しされた状態で接合されており、前記撮像素子に固定される接合レンズと、接合レンズの一部が接触することにより撮像素子に対する接合レンズの位置調整を行い、接合レンズと共に撮像素子に固定されるガイド手段と、を備えていることを特徴とする。
【００１０】
この発明では、心出しされた状態で複数のレンズが接合された接合レンズを用いるものであり、複数のレンズは撮像素子への固定の前に既に相互の位置決めがなされている。従って、複数のレンズの相互の位置決めを撮像素子への取り付けと関係なく行うことができるため、光軸合わせ等の位置決めを高精度に行うことができると共に任意の数のレンズを組み付けることができる。
【００１１】
又、ガイド手段は接合レンズの一部が接触し、この接触状態で撮像素子に対する位置調整を行うため、撮像素子に対する接合レンズ全体の位置決めを簡単に行うことができると共に、接合レンズと撮像素子とを高精度に位置決めすることができる。この場合、ガイド手段を撮像素子にあらかじめ取り付けた状態で接合レンズの位置調整を行っても良く、接合レンズとガイド手段とを位置調整して組み付けた後、この組み付けアッシーを撮像素子に取り付けても良い。いずれの場合においても、接合レンズがガイド手段と共に撮像素子に固定されるため、安定した固定ができ、光学性能を向上させることができる。又、これにより、位置決めのための鏡枠が不要となり、小型化することができる。
【００１２】
請求項２の発明は、請求項１記載の撮像モジュールであって、前記ガイド手段は、光軸方向、光軸と直交すると共に相互に直交する２軸方向、光軸と直交する平面内での回転方向、光軸と平行で且つ相互に直交する２平面内でのチルト方向の６方向の内、少なくとも一つの方向に対する位置調整が可能であることを特徴とする。
【００１３】
このように６方向の内の少なくとも一つの方向を位置調整することにより、接合レンズと撮像素子との位置調整を簡単に行うことが可能となる。
【００１４】
請求項３の発明は、請求項１又は２記載の撮像モジュールであって、前記ガイド手段は、接合レンズの外面の一部が接触することにより前記位置調整が可能となっていることを特徴とする。
【００１５】
この発明では、接合レンズの外面の一部がガイド手段に接触した状態で接合レンズの位置調整を行うため、簡単に位置調整することができる。又、接合レンズの外面の一部がガイド手段に支持された状態となるため、安定した組み付けを行うことができる。
【００１６】
請求項４の発明は、請求項１又は２記載の撮像モジュールであって、前記ガイド手段は、撮像素子又は接合レンズのいずれか一方に突出するように設けられた複数のガイドピンと、他方に設けられ、複数のガイドピンが挿入されるガイド穴とを備えていることを特徴とする。
【００１７】
このような構造では、ガイドピンをガイド穴に挿入することにより、接合レンズと撮像素子との位置調整を行うことができるため、簡単に行うことができる。
【００１８】
請求項５の発明は、請求項１又は２記載の撮像モジュールであって、前記ガイド手段は、撮像素子及び接合レンズのそれぞれの対向面に設けられて相互に嵌合する凹凸部であることを特徴とする。
【００１９】
この構造では、凹凸部を嵌合させることにより、接合レンズと撮像素子との位置調整を行うことができるため、位置調整を簡単に行うことができる。
【００２０】
請求項６の発明は、請求項１〜３のいずれかに記載の撮像モジュールであって、前記接合レンズの少なくとも撮像素子と対向した面が多角形となっており、ガイド手段は前記多角形を形成する辺と接触する傾斜面又は湾曲面からなるガイド面を有していることを特徴とする。
【００２１】
この発明では、接合レンズの多角形を形成する辺をガイド手段のガイド面と接触させて位置調整を行うため、高精度の位置調整を行うことができる。
【００２２】
請求項７の発明は、請求項１〜３のいずれかに記載の撮像モジュールであって、前記ガイド手段は、接合レンズ又は撮像素子の何れか一方から他方に向かって一体的に延びており、接合レンズ又は撮像素子の他方の外端面が接触する少なくとも一対の脚部であることを特徴とする。
【００２３】
この発明では、ガイド手段が接合レンズの一部となっているため、部品点数を削減した状態での位置調整が可能となる。
【００２４】
請求項８の発明は、請求項１〜７のいずれかに記載の撮像モジュールであって、前記接合レンズは、複数のレンズの間にスペーサが挿入されることによりレンズ間に空気層が設けられていることを特徴とする。
【００２５】
このようにレンズ間に空気層を設けることにより、接合レンズの光学性能を向上させることができる。
【００２６】
請求項９の発明は、請求項１〜８のいずれかに記載の撮像モジュールであって、前記ガイド手段は、撮像素子及び接合レンズにおける光学有効領域に挿入される部分を有し、当該挿入部分が赤外線カットフィルター機能を備えていることを特徴とする。
【００２７】
このようにガイド手段の挿入部分が赤外線カットフィルター機能を備えることによって、撮像素子に赤外線カットフィルターを設ける必要がなくなり、部品点数を削減することができる。
【００２８】
請求項１０の発明は、請求項１〜８のいずれかに記載の撮像モジュールであって、前記ガイド手段は、撮像素子及び接合レンズにおける光学有効領域に挿入される部分を有し、当該挿入部分が撮像素子のカバーガラスとなっていることを特徴とする。
【００２９】
このようにガイド手段の挿入部分がカバーガラスとなっていることにより、撮像素子にカバーガラスを設ける必要がなくなり、部品点数を削減することができる。
【００３０】
請求項１１の発明は、請求項１〜１０のいずれかに記載の撮像モジュールであって、前記接合レンズの外周が多角形となっており、外周の一辺から接合レンズの光軸までの距離と撮像素子または撮像素子に固定される固定物の一辺から撮像素子の有効画素領域中心軸までの距離、及び他の一辺から接合レンズの光軸までの距離と撮像素子または撮像素子に固定される固定物の一辺から撮像素子の有効画素領域中心軸までの距離がそれぞれ等しいことを特徴とする。
【００３１】
このような寸法関係とすることにより、接合レンズと撮像素子との位置決めを確実且つ高精度に行うことができる。
【００３２】
請求項１２の発明は、請求項８記載の撮像モジュールであって、前記スペーサは、複数のレンズを接合するための接着剤充填溝を外面に有していることを特徴とする。
【００３３】
このようにスペーサに設けた接着剤充填溝に接着剤を充填することにより、複数のレンズを強固に接合することができる。
【００３４】
請求項１３の発明は、請求項８記載の撮像モジュールであって、前記スペーサは、接合レンズの光学非有効領域に入り込んでいることを特徴とする。
【００３５】
スペーサが接合レンズの光学非有効領域に入り込むことにより、スペーサが絞りを兼ねるため、絞りが不要となる。
【００３６】
請求項１４の発明は、請求項１〜１３のいずれかに記載の撮像モジュールであって、前記接合レンズは、外形が多角形の複数のレンズからなり、多角形の一辺と各レンズの光軸との距離及び他の一辺と各レンズの光軸との距離が等しくなるように調整された後、相互に接合されていることを特徴とする。
【００３７】
このような調整の後に複数のレンズを接合することにより、高精度に心出しした状態となって複数のレンズを接合することができる。
【００３８】
【発明の実施の形態】
以下、本発明を図示する実施の形態により具体的に説明する。なお、各実施の形態において、同一の部材には同一の符号を付して対応させてある。
【００３９】
（実施の形態１）
図１は、本発明の実施の形態１の撮像モジュール１を示し、撮像素子２と、接合レンズ３と、ガイド手段４とを備えている。
【００４０】
撮像素子２は、配線基板５の所定位置にボンディングされており、接合レンズ３からの光が入力することより画素信号を配線基板５に出力する。この撮像素子２としては、ＣＣＤ、ＣＭＯＳ等の固体撮像素子が用いられ、撮像素子２と配線基板５との電気的な接続は、ボンディングワイヤ、バンプ等によって行われる。接合レンズ３は、複数のレンズ（この実施の形態では、３枚のレンズ６，７，８）を接合することより構成されている。複数のレンズ６，７，８は、レンズ面となっている光学有効領域６ａ，７ａ，８ａと、光学有効領域６ａ，７ａ，８ａの外側に位置する光学非有効領域６ｂ，７ｂ，８ｂとをそれぞれ備えている。そして、光学有効領域６ａ，７ａ，８ａを心出しするよう位置決めし、この心出し状態で光学非有効領域６ｂ，７ｂ，８ｂを接合することにより、レンズ６，７，８を接合した接合レンズ３が形成される。
【００４１】
接合レンズ３における対向しているレンズ６，７の間にはスペーサ９が配置されると共に、対向しているレンズ７，８の間にスペーサ１０が配置されている。スペーサ９，１０は、レンズ６，７，８の間における光学非有効領域６ｂ，７ｂ，８ｂに位置しており、光学有効領域６ａ，７ａ，８ａを透過する光線を妨げないようになっている。このようなスペーサ９，１０をレンズ６，７，８の間に設けた構造とすることにより、対向しているレンズ６，７の間とレンズ７，８の間に、それぞれ空気層１１，１２が形成されるため、接合レンズ３全体としての光学性能を向上させることができる。
【００４２】
このような接合レンズ３は、複数のレンズ６，７，８を心出しした状態で接合することにより作製されるが、この作製は接合レンズ３の全体を撮像素子２に対して位置調整する以前に行われるものである。すなわち、レンズ６，７，８は撮像素子２とはフリーの状態で、相互に心出しされて接合され、この接合によって接合レンズ３が作製される。そして、作製された接合レンズ３を後述するガイド手段４によって撮像素子２に対して位置調整するものである。従って、レンズ６，７，８を心出しして接合する工程を接合レンズ３の撮像素子２への固定とは無関係に行うことができる。これにより、各レンズ６，７，８の撮像素子２との位置関係を考慮することなく各レンズ６，７，８の心出しを行うことができるため、レンズ６，７，８の心出しを高精度に行うことができ、レンズ６，７，８の光軸を確実に一致させることができる。
【００４３】
ガイド手段４は、撮像素子２上に取り付けられた状態で接合レンズ３の支持を行う。ガイド手段４は撮像素子２における非画素領域２ｂに取り付けられており、これにより、接合レンズ３を透過して画素領域２ａに入射する光線の妨げとならないようになっている。
【００４４】
このガイド手段４は、撮像素子２に対する接合レンズ３の位置調整を行うものであり、この実施の形態では、扁平な矩形板形状に成形された一対が撮像素子２上に接着により固定されている。一対のガイド手段４は、接合レンズ３の外面の一部（この実施の形態では、レンズ６及びスペーサ９の外面）を挟んだ状態で接触することにより接合レンズ３を支持している。
【００４５】
このように接合レンズ３がガイド手段４によって挟まれることにより、接合レンズ３は光軸と直交する２軸（ＸＹ軸）の内の一方の軸（Ｘ軸）方向の位置決めが行われると共に、光軸を含んだ一平面のチルト方向への位置決めが行われる。このように、接合レンズ３は図３における６方向（Ｚ，Ｘ，Ｙ，Ｒ，Ｔ１，Ｔ２）の内の３方向（Ｘ，Ｒ，Ｔ１）の位置決めがなされるため、他の３方向の位置調整を行った後、ガイド手段４に固定すれば良く、位置調整を簡単に行うことができる。
【００４６】
この実施の形態において、接合レンズ３の撮像素子２への固定は、撮像素子２に対してガイド手段４を位置決めした状態で固定し、このガイド手段４に対して接合レンズ３を取り付けて上述した位置調整を行った後、接合レンズ３を接着等によりガイド手段４に固定することにより行うことができる。又、ガイド手段４に対して接合レンズ３を位置調整して組み付けた後、ガイド手段４を撮像素子２に接着して組付アッシーを撮像素子２に固定することによっても行うことができる。前者の場合には、取り付けに際しての柔軟性を有する点（位置調整が容易となる点）でメリットがある。
【００４７】
このような実施の形態では、複数のレンズ６，７，８が心出しされてあらかじめ接合された接合レンズ３を用いるため、撮像素子２に対しては接合レンズ３の全体を位置調整すれば良く、個々のレンズ６，７，８を撮像素子２に対して位置調整する必要がない。このため、接合レンズ３の位置調整を簡単に行うことができる。また、撮像素子２とは関係なく各レンズ６，７，８の心出しを行うため、レンズの位置決めを高精度に行うことができると共に、任意の数のレンズを接合することができ、設計の自由度が拡大する。さらに、接合レンズ３では、複数のレンズ６，７，８が接合によって固定されているため、振動等の外力が作用してもレンズがずれることがない。このため、光学性能が安定する。
【００４８】
又、さらに接合レンズ３がガイド手段４と共に撮像素子２に固定される構造のため、接合レンズ３を安定して撮像素子２に固定することができる。このため、光学性能を向上させることができる。また、このように光学性能が向上した状態で接合レンズ３の安定的な固定を行うことができるため、レンズの位置決めのための鏡枠が不要となり、小型化することができる。
【００４９】
図２は、この実施の形態の変形々態の撮像モジュール１ａを示す。この形態においては、接合レンズ３が直方体からなる外形々状に形成されている。撮像素子２への接合レンズ３の位置調整を行うガイド手段４は直角に屈曲したＬ字形の立体形状となっている。
【００５０】
そして、ガイド手段４の一対が接合レンズ３の対向した角部と嵌合状態で接触することにより接合レンズ３の位置決めがなされている。この構造では、光軸と直交した２軸（ＸＹ軸）の方向、光軸と直交した平面内での回転方向及び光軸と平行した２平面内でのチルト方向の５方向に対して位置決めを行うことができる。このため、光軸方向に対する位置調整をした後、接合レンズ３をガイド手段４に固定すれば良く、接合レンズ３の位置調整をさらに簡単に行うことができる。
【００５１】
（実施の形態２）
図３は、本発明の実施の形態２の撮像モジュール２０を示す。接合レンズ３が直方体の外形に形成されており、これにより撮像素子２と対向した面が四角形となっている。
【００５２】
ガイド手段４は直立三角形状に形成されており、一対が接合レンズ３を挟むように撮像素子２上に配置されている。一対のガイド手段４は、その底面が撮像素子２の上面と接触した状態で同素子２上に直立状に固定される。対となっているガイド手段４の対向面は、接合レンズ３の位置調整を行うガイド面１４となる。ガイド面１４は、直線状に傾斜した傾斜面となっており、それぞれのガイド面１４が接合レンズ３における撮像素子２との対向面を形成する２辺と接触することにより、接合レンズ３の位置決めを行う。なお、この実施の形態において、一対のガイド手段４は相互に平行となるように配置されるものである。
【００５３】
接合レンズ３は図３（ａ）に示すように、ガイド手段４のガイド面１４と接触することにより、光軸方向Ｚ、光軸と直交する一つの軸の方向Ｘ、光軸と直交する平面内での回転方向Ｒ、光軸と平行で且つ相互に直交する２平面（ＸＹ平面）における一平面（Ｘ平面）内でのチルト方向Ｔ１の４方向の位置決めが行われる。従って、光軸と直交する他の軸の方向Ｙ及び光軸と平行で且つ相互に直交する２平面における他の平面（Ｙ平面）内でのチルト方向Ｔ２の位置調整を行うだけで、撮像素子２に対する接合レンズ３の位置決めを行うことができる。このため、接合レンズ３の位置決めを簡単に行うことができる。
このような構造では、ガイド手段４が撮像素子２と面接触して固定される一方、撮像素子２との対向面を形成する接合レンズ３の２辺がガイド手段４のガイド面１４と線接触した状態で接合レンズ３が固定される。従って、ガイド手段４を介して撮像素子２及び接合レンズ３を確実に固定することができる。
【００５４】
図３（ｂ）において、１５はガイド手段４を撮像素子２に固定するための接着剤、１６は接合レンズ３をガイド手段４に固定するためにガイド面１４部分と接合レンズ３との間に充填された接着剤である。
【００５５】
なお、この実施の形態では、ガイド手段４のガイド面１４を直線状の傾斜面としているが、湾曲面であっても良く、ガイド手段４の全体を丸棒としても良い。これらの場合においても、上述と同様な位置決めを行うことが可能となる。又、ガイド手段４としては、一対を直交するように配置し、接合レンズ３に対して直交方向から接触して固定しても良い。
【００５６】
（実施の形態３）
図４は、実施の形態３における撮像モジュール３０を示す。この実施の形態における撮像素子２には、２本のガイドピン２１，２１が立設している。ガイドピン２１，２１は画素領域２ａの対向した角部に対応するように非画素領域２ｂから立設している。
【００５７】
これに対し接合レンズ３には、ガイドピン２１，２１が挿入されるガイド穴２２，２２が形成されている。ガイド穴２２，２２は接合レンズ３の光軸に対して位置出しされた状態で、その光学非有効領域に上下方向に貫通するものである。
【００５８】
このような構造ではガイド穴２２，２２にガイドピン２１，２１を挿入することにより、光軸の中心が画素の中心と一致するように接合レンズ３が撮像素子２に対して位置決めされる。すなわち、接合レンズ３はＸ，Ｙ，Ｒ，Ｔ１，Ｔ２の５方向が位置決めされる。このため、光軸方向Ｚの位置調整（ピント調整）を行うだけで、撮像素子２に対する位置決めがなされ、位置決めを簡単に行うことができる。この位置決めの後、ガイドピン２１，２１とガイド穴２２，２２とを接着剤により固定することにより接合レンズ３の固定を行う。
【００５９】
このような実施の形態では、接合レンズ３の位置調整が一方向だけで良いため、撮像素子２への組付けを簡単に行うことができる。又、接合レンズ３の固定は、ガイド穴２２，２２内に接着剤を流し込んで硬化することにより行うことができるため、画素領域や光学有効領域に接着剤がはみ出すことがなく確実な組み立てを行うことができる。
【００６０】
なお、２本のガイドピン２１，２１としては、撮像素子２の画素の中心から点対称の位置となるように配置することも可能であり、これに加えて、接合レンズ３が点対称形状に形成されている場合には、接合レンズ３の位置調整の際に接合レンズ３の向きを考慮する必要がないため、さらに簡単に位置調整を行うことが可能となる。また、ガイドピン２１，２１を接合レンズ３側に設け、ガイド穴２２，２２を撮像素子２に設けても良い。さらに、ガイドピン２１は少なくとも２本が設けられていれば良く、３本以上であっても良く、ガイド穴２２の数はガイドピン２１の数に対応して設けることにより位置決めを行うことができる。
【００６１】
（実施の形態４）
図５は、実施の形態４における撮像モジュール４０を示し、接合レンズ３が直方体形状に形成されており、その下面に凸部２５、２５が突出状に形成されている。凸部２５，２５は、接合レンズ３における光学非有効領域の下面に位置するように設けられるものである。
【００６２】
これに対し、撮像素子２の非画素領域２ｂには、凸部２５，２５が嵌合する凹部２６，２６が形成されている。従って、凸部２５，２５を凹部２６，２６に嵌合することにより接合レンズ３の位置決めを行うことができる。接合レンズ３の撮像素子２への固定は、凹部２６，２６に接着剤を充填するだけで簡単に行うことができる。この実施の形態では、接合レンズ３を透過した光が撮像素子２の画素領域に収束するように凸部２５，２５の高さ及び凹部２６，２６の深さを設定することが可能であり、これにより上述した６方向の全ての位置決めを行うことができる。
【００６３】
なお、この実施の形態においては、接合レンズ３を点対称形状に形成すると共に撮像素子２の凹部２６，２６を画素の中心から点対称の位置となるように配置しても良く、これにより、接合レンズ３の位置調整の際に接合レンズ３の向きを考慮する必要がないため、さらに簡単に位置調整を行うことが可能となる。また、凸部２５，２５を撮像素子２側に設け、凹部２６，２６を接合レンズ３側に設けても良い。さらに、凸部２５は少なくとも２箇所に設けられていれば、３箇所以上であっても良く、凹部２６を凸部２５の数に対応して設けることにより位置決めを行うことができる。
【００６４】
（実施の形態５）
図６は、実施の形態５における撮像モジュール５０を示す。この実施の形態において接合レンズ３は外形が直方体に形成されており、その下面には一対の脚部２７，２７が一体的に形成されている。一対の脚部２７，２７は、接合レンズ３における光学非有効領域の下面から平行となるように延びており、脚部２７，２７の間は収納空間部２８となっている。この脚部２７，２７はガイド手段４を構成する物である。
【００６５】
一方、撮像素子２は一対の脚部２７，２７の間に挿入される外形（扁平な直方体）に形成されている。この撮像素子２をその外端面が脚部２７，２７の対向面と接触するように挿入することにより、接合レンズ３と撮像素子２との位置決めがなされるため、位置決めを簡単に行うことができる。
【００６６】
このような実施の形態では、ガイド手段４である脚部２７，２７が接合レンズ３と一体的に形成されて接合レンズの一部となっているため、部品点数が少なくなり、構造を簡単にすることができると共に位置決めを簡単に行うことができる。なお、脚部２７，２７を撮像素子２に形成し、接合レンズ３を撮像素子２側の脚部２７，２７に嵌合させる構造としても同様な位置決めを行うことができる。
【００６７】
（実施の形態６）
図７及び図８は、実施の形態６における撮像モジュール６０，７０をそれぞれ示す。
【００６８】
図７に示す撮像モジュール６０においては、ガイド手段４が上向きのコ字形に形成されている。すなわち、ガイド手段４は左右一対の直方体状の位置決め部３２，３２と、位置決め部３２，３２の間に位置してこれらを連設する挿入部３３とを備えている。挿入部３３は接合レンズ３の真下に位置しており、これにより接合レンズ３の光学有効領域及び撮像素子２の画素領域に挿入された状態となっている。なお、位置決め部３２，３２における対向面は平行となるように形成されるものである。
【００６９】
位置決め部３２，３２は接合レンズ３の位置決めを行うものであり、接合レンズ３は位置決め部３２，３２と接触するように外形が直方体となるように形成されている。この接合レンズ３における平行な両側面が位置決め部３２，３２の対向面と接触するように接合レンズ３を挿入する。これにより、Ｘ方向、Ｒ方向、Ｔ１方向が位置決め部３２，３２により位置決めされるため、図７に示すＺ方向、Ｙ方向及びＴ２方向の３方向の位置調整を行うことにより、接合レンズ３を位置決めした状態で撮像素子２に固定することができる。
【００７０】
図８に示す撮像モジュール７０は、図３と同様な構造によって接合レンズ３を位置調整するものであり、このため図３と同様な直線的に傾斜するガイド面１４を備えた一対のガイド手段４が撮像素子２上に平行に取り付けられている。この場合、一方のガイド手段４からは接合レンズ３の真下に位置するように挿入部３４が連設されている。この挿入部３４は、図７の撮像モジュール６０における挿入部３３と同様に接合レンズ３の光学有効領域及び撮像素子２の画素領域に挿入された状態となっている。
【００７１】
以上の撮像モジュール６０、７０におけるガイド手段４の挿入部３３、３４は、赤外線カットフィルター機能を備えることができる。赤外線カットフィルター機能を備えるため、挿入部３３、３４には、赤外線カット機能を有した金属が蒸着等により積層されている。このようにガイド手段４は赤外線カットフィルター機能を備えることにより、赤外線カットフィルターを撮像素子２に設ける必要がなくなる。このため、部品点数を削減することができる。
【００７２】
又、この実施の形態では、ガイド手段４の挿入部３３、３４を撮像素子２のカバーガラスとして用いることも可能である。これにより、撮像素子２にカバーガラスを設ける必要がなくなり、部品点数を削減することができる。
【００７３】
（実施の形態７）
図９は、実施の形態７を示す。この実施の形態における接合レンズ３は図９（ａ）に示すように、外周が多角形（正四角形）となっている。そして外周の一辺４１から光軸４３までの距離がＬ１に設定され、一辺４１と直交する他の一辺４２から光軸４３までの距離がＬ２となるように設定されている。
【００７４】
図９（ｂ）に示すように、撮像素子２も外周が多角形となっており、外周の一辺４５から画素領域２ａの中心軸４７までの距離がＬ１に設定され、一辺４５と直交する他の一辺４６から画素領域２ａの中心軸４７までの距離がＬ２に設定されている。
【００７５】
従って、撮像素子２の一辺４５に接合レンズ３の一辺４１を合わせると共に、撮像素子２の他の一辺４６に接合レンズ３の他の一辺４２を合わせるように接合レンズ３を撮像素子２に位置決めすることにより、接合レンズ３の光軸４３と撮像素子２の画素領域の中心軸４７が自動的に一致する。これにより、接合レンズ３と撮像素子２との位置決めを高精度且つ確実に行うことができる。
【００７６】
図９（ｃ）は、撮像素子２に固定物４８が固定される場合を示し、固定物４８としては、カバーガラス或いは赤外線カットフィルターを用いることができる。この固定物４８を多角形とし、その外周の一辺４５から中心軸４７までの距離をＬ１と設定し、一辺４５と直交する他の一辺４６から中心軸４７までの距離をＬ２に設定することにより、同図（ａ）における接合レンズ３の距離Ｌ１，Ｌ２と等しくなる。従って、このような固定物４８を接合レンズ３に対して位置決めすることにより、固定物４８を介して接合レンズ３と撮像素子２との位置決めを行うことができる。
なお、以上の接合レンズ３、撮像素子２及び固定物４８としては、外形が多角形であれば良く、図示する四角形に限定されるものではない。
【００７７】
（実施の形態８）
図１０は、実施の形態８を示す。この実施の形態の接合レンズ３は、レンズ５１及び５２の間にスペーサ５３が挿入されている。従って、レンズ５１及び５２の間には、空気層（図示省略）が形成される。
【００７８】
スペーサ５３とレンズ５１との間及びスペーサ５３とレンズ５２との間には、接着剤充填溝５４，５５が形成されている。従って、接着剤充填溝５４，５５に充填剤を充填することにより、スペーサ５３を介してレンズ５１、５２を接合することができ、レンズ５１、５２が強固に接合された接合レンズ３を作製することができる。これにより、レンズ５１、５２の位置ずれのない接合レンズとすることができる。
【００７９】
（実施の形態９）
図１１は、実施の形態９を示す。この実施の形態の接合レンズ３は、２つのレンズ６１，６２の間にスペーサ６３が挿入された状態でレンズ６１，６２が接合されている。このため、レンズ６１，６２における光学有効領域Ｄには空気層６４が形成されている。
【００８０】
スペーサ６３は一部が空気層６４内に入り込んでいる。また、スペーサ６３は遮光性を有する材料によって形成されており、空気層６４内に入り込んだスペーサ６３は、レンズの光学有効領域Ｄを透過する光に対して絞りとして作用することができる。これにより、絞りを別途設ける必要がなくなるため、部品点数が削減され、撮像モジュールの組み立ても容易となるメリットがある。
【００８１】
（実施の形態１０）
図１２及び図１３は本発明の実施の形態１０を示す。この実施の形態では、接合レンズ３の作製の一例を示すものである。
【００８２】
図１２に示す形態では、４枚のレンズ７１，７２，７３，７４がいずれも四角形の外形となっている。７５，７６は位置決め治具であり、レンズとの接触面７５ａ，７６ａが平面となっている。レンズ７１，７２，７３，７４は位置決め治具７５がそれぞれの一辺に当接することにより、全てのレンズ７１，７２，７３，７４の光軸が一致するようにその一辺から光軸までの距離が等しくなるように形成されている。同様に、位置決め治具７６が一辺と直交したレンズの他の一辺に当接することにより、全てのレンズ７１，７２，７３，７４の光軸が一致するように、他の一辺から光軸までの距離が等しくなるように形成されている。
【００８３】
従って、位置決め治具７５，７６を図示のように、レンズ７１，７２，７３，７４に当接させることにより、全てのレンズの光軸を一致させることができる。この光軸一致状態で、レンズ７１，７２，７３，７４を接合することにより接合レンズ３を作製することができる。
【００８４】
図１３に示す形態では、レンズ７８が正８角形の外形となっており、位置決め治具７９がＬ字形に成形されている。従って、レンズ７８における１つおきの辺に位置決め治具７９を当接させることにより、図１２と同様に全てのレンズの光軸を一致させることができる。
【００８５】
なお、以上の実施の形態では、接合レンズ３を構成する複数のレンズの間に空気層を設けているが、空気層を設けることなく複数のレンズを接触させた状態で接合した接合レンズを同様にして用いることができる。
【００８６】
【発明の効果】
以上説明したように、本発明によれば、接合レンズにおける複数のレンズの光軸合わせ等の位置決めを高精度に行うことができると共に任意の数のレンズを組み付けることができ、しかもガイド手段によって撮像素子に対する接合レンズ全体の位置決めを簡単に行うことができるため、接合レンズと撮像素子とを高精度に位置決めすることができ。さらには、鏡枠が不要となるため、小型化することができる。
【図面の簡単な説明】
【図１】本発明の実施の形態１の断面図である。
【図２】実施の形態１の変形形態を示す斜視図である。
【図３】（ａ）は実施の形態２の斜視図、（ｂ）はその正面図である。
【図４】実施の形態３の斜視図である。
【図５】実施の形態４の斜視図である。
【図６】実施の形態５の斜視図である。
【図７】実施の形態６の斜視図である。
【図８】実施の形態６の別例の斜視図である。
【図９】実施の形態７の平面図である。
【図１０】実施の形態８の斜視図である。
【図１１】実施の形態９の断面図である。
【図１２】実施の形態１０の斜視図である。
【図１３】実施の形態１０の別例の平面図である。
【符号の説明】
１　撮像モジュール
２　撮像素子
３　接合レンズ
４　ガイド手段
６，７，８　レンズ
【図１】
2004087718.tif 000003
【図２】
2004087718.tif 000004
【図３】
2004087718.tif 000005
【図４】
2004087718.tif 000006
【図５】
2004087718.tif 000007
【図６】
2004087718.tif 000008
【図７】
2004087718.tif 000009
【図８】
2004087718.tif 000010
【図９】
2004087718.tif 000011
【図１０】
2004087718.tif 000012
【図１１】
2004087718.tif 000013
【図１２】
2004087718.tif 000014
【図１３】
2004087718.tif 000015